(57)【特許請求の範囲】
【請求項１】
建柱に設けた防霜ファンと、この防霜ファンの送風領域に水、水粒子、又は微粒子を噴射するために、この建柱、又は柱に設けた多機能の散水ノズルと、この散水ノズルに水、薬液、液肥、防虫剤の流体を送るホースとで構成した防霜ファンの散水装置であって、
前記散水ノズルを、前記送風領域内に向って、前進後退させる移動手段を付設する構成の防霜ファンの散水装置において、
この移動手段は、対のベルトに設け、かつ前記建柱、又は前記柱の長手方向に設けたチャンネル形状の本体と、この本体に螺着した止め螺子と、この止め螺子が貫設される長溝を備え、かつその鍔片に多数の係止用の切欠き部を有する、前記本体とベルトとの間に、スライド可能に設けたチャンネル形状の支持体とで構成し、
前記止め螺子の基端に設けた頭部が、前記長溝の溝幅より大きいことを利用し、前記本体の切欠き部を、前記支持体に係止する構成とした防霜ファンの散水装置。
【請求項２】
請求項１に記載の防霜ファンの散水装置において、
前記散水ノズルを、ベルトを介して、前記建柱、又は前記柱に設け、このベルトの弛緩と緊張とを介して、この散水ノズルを、この建柱、又はこの柱に旋回可能、或いは上下動可能に設ける構成とした防霜ファンの散水装置。
【請求項３】
請求項１に記載の防霜ファンの散水装置において、
前記防霜ファンに、ガードを付設する構成とした防霜ファンの散水装置。
【請求項４】
請求項１に記載の防霜ファンの散水装置において、
前記支持体の先端に軸を介して枢着した可動板と、この可動板に散水ノズルを設けるとともに、この可動板に開設した半月溝に、前記可動板及びこの支持板に設けた緊締螺子を貫設し、この緊締螺子の弛緩で、前記可動板が、前記軸を支点として可動し、この可動位置で、この緊締螺子を緊締し、この可動板を固定する構成とした防霜ファンの散水装置。
【請求項５】
請求項１に記載の防霜ファンの散水装置において、
前記散水ノズルを、一基、又は数基とする構成とした防霜ファンの散水装置。
【請求項６】
請求項１に記載の防霜ファンの散水装置において、
前記散水ノズルの水、水粒子、又は微粒子を噴射する操作を、遠隔操作とする構成とした防霜ファンの散水装置。
【発明の詳細な説明】
【技術分野】
【０００１】
本発明は、果樹園、茶園、その他の圃場で使用されている防霜ファン、又は、今後、牧草圃場、稲藁・麦藁屋外製造所において、使用されることが望ましい、防霜ファンに関するもので、その目的は、樹木、果実、葉、稲藁、麦藁等の汚染防止、例えば、放射能、煤煙、粉塵等の有害物資を払拭すること、又は加湿、養生、或いは防霜等を図ることを意図して、水、薬液、液肥、防虫剤の流体と、流体粒子、又は流体微粒子を噴射する防霜ファン（空中、又は地上に設けた防霜ファンであり、最適な例は、防霜ファンとのセットである。この防霜ファンには、ファンを含む考えである）の散水装置に関する。
【背景技術】
【０００２】
昨今、牧草、稲藁・麦藁屋外製造所において、放射能による稲藁、麦藁等の汚染防止が大きな問題となっている。この汚染防止対策として、果樹園、圃場等において使用されている防霜ファンの散水装置は活用の余地がある。また、同様に、果樹園、圃場等における放射能による樹木、果実、枝、葉等の汚染防止が大きな問題となっている。そして、このような放射能による汚染は、国内を戦慄させている。
【０００３】
従って、この状況を打開するには、例えば、水、薬液、液肥、防虫剤の流体と、流体粒子、又は流体微粒子を、比較的、多量に噴射することは、極めて、有効である。しかしながら、有効な解決策がないのが現況である。また、その他の汚染としては、例えば、煤煙、粉塵等の有害物資においても同様である。
【０００４】
このような状況を解決するための手段（散水装置）は、従来技術を始として、先行文献に於いても、適切なものがないが、関連する発明として、防霜ファンと細霧冷房を組合わせた技術が有る。例えば、本出願人が提案する、特開２０１０−６８７４０号公報の「農作物の生育を制御する細霧冷却装置」の発明とか、特開２００６−１０９８０４号公報の「多頭式（多頭方式：数基）の高所式ファンを利用した防霜装置と、その防霜方法」の発明がある。これらの発明は、有益であることは、理解できる。しかし、本発明が意図する、散水ノズルとファンとの組合わせを利用し、水粒子の噴霧し、比較的、大量の水による放射能、煤煙、粉塵等の有害物資を払拭するまでは到っていないと考えられる。
【０００５】
また、散水に関する他の分野として、例えば、次のような文献が見当たる。文献１は、特開２００２−３５７６９５号公報の「除染方法および装置」がある。しかし、この発明は、明細書の［００６６］において、除染槽内にスプレイ装置を設置し、除染対象物に、除染液又は洗浄水を散水するとの記載はある。しかし、具体的には、本発明が意図する、ファンと散水ノズルとで、樹木、果実、枝、葉、又は稲藁・麦藁等の対象物を、放射能による汚染防止と、その他の汚染としては、例えば、煤煙、粉塵等の有害物資による汚染解除を目的としないこと、又は水、薬液、液肥、防虫剤の流体を散水するものでない。また、文献２は、特開２００４−２４３１９５号公報の「汚染土壌の浄化方法」がある。しかし、この発明は、明細書の［００１０］において、舞い上がった粉塵を静めるのには散水が効果的であるが、この発明では加熱源に過熱蒸気を使用することによって散水効果を発揮させる。つまり過熱蒸気は冷却されて水に還ることを利用して、粉塵と混ざった蒸気が水に還って、粉塵を吸着して水滴となって落下して粉塵の飛散が防止され、粉塵は泥流となって回収されるとの記載はある。しかし、この文献２も、文献１と同様な改良がある。
【０００６】
【特許文献１】特開２００２−３５７６９５号公報
【特許文献２】特開２００４−２４３１９５号公報
【発明の概要】
【発明が解決しようとする課題】
【０００７】
以上で説明した文献１、文献２は、散水であっても、分野が異なることと、防霜ファンと散水ノズルとの組合わせを利用し、水粒子の噴霧による放射能、煤煙、粉塵等の有害物資を払拭する構造でないこと、又は効率的かつ確実な散水を介して、放射能、煤煙、粉塵等の有害物資を払拭する構造でないこと、或いは水、薬液、液肥、防虫剤の流体と、この流体粒子、又はこの流体微粒子（水、水粒子、又は微粒子とする）を噴射できる防霜ファンの散水装置に関する発明でない。
【０００８】
そこで、本発明は、請求項１において、多機能、即ち、水、水粒子、又は微粒子であって、かつ強弱の流体を噴射できる散水ノズルを、建柱、又は柱に付設し（設け）、この噴射ノズルからの噴射する水、水粒子、又は微粒子を、防霜ファンの送風領域内に到達させ、かつ送風領域内で消失する構成とすることで、この果樹園、茶園、その他の圃場、牧草圃場、稲藁・麦藁製造所において、水、水粒子を噴霧し、比較的、大量の水による樹木、果実、葉、稲藁、麦藁等の汚染防止、例えば、放射能、煤煙、粉塵等の有害物資を払拭することを、第一主眼とする。また、微粒子を噴霧し、果樹園、茶園、その他の圃場において、樹木、果実、葉等の加湿、養生、或いは防霜等を図ることを第二主眼とする。そして、この請求項１の目的を達成するために、請求項２−７に示した、それぞれの特徴を発揮することを意図する。
【課題を解決するための手段】
【０００９】
請求項１の発明は、前述の意図を達成する。
【００１０】
請求項１は、建柱に設けた防霜ファンと、この防霜ファンの送風領域に水、水粒子、又は微粒子を噴射するために、この建柱、又は柱に設けた多機能の散水ノズルと、この散水ノズルに水、薬液、液肥、防虫剤の流体を送るホースとで構成した防霜ファンの散水装置であって、
前記散水ノズルを、前記送風領域内に向って、前進後退させる移動手段を付設する構成の防霜ファンの散水装置において、
この移動手段は、対のベルトに設け、かつ前記建柱、又は前記柱の長手方向に設けたチャンネル形状の本体と、この本体に螺着した止め螺子と、この止め螺子が貫設される長溝を備え、かつその鍔片に多数の係止用の切欠き部を有する、前記本体とベルトとの間に、スライド可能に設けたチャンネル形状の支持体とで構成し、
前記止め螺子の基端に設けた頭部が、前記長溝の溝幅より大きいことを利用し、前記本体の切欠き部を、前記支持体に係止する構成とした防霜ファンの散水装置である。
【００１１】
請求項２の発明は、請求項１の目的を達成するには、散水ノズルを、建柱、又は柱に旋回可能、或いは上下動可能に設ける構造が必要であるので、この構造を提案する。
【００１２】
請求項２は、請求項１に記載の防霜ファンの散水装置において、
前記散水ノズルを、ベルトを介して、前記建柱、又は前記柱に設け、このベルトの弛緩と緊張とを介して、この散水ノズルを、この建柱、又はこの柱に旋回可能、或いは上下動可能に設ける構成とした防霜ファンの散水装置である。
【００１３】
請求項３の発明は、請求項１の目的を達成するには、防霜ファンの安全性と、発生し易い人・飛来物の捲込み事故回避、これに纏わる余分の作業回避が計れる構造を提案する。
【００１４】
請求項３は、請求項１に記載の防霜ファンの散水装置において、
前記防霜ファンに、ガードを付設する構成とした防霜ファンの散水装置である。
【００１５】
請求項４の発明は、請求項１の目的を達成するには、防霜ファンの動き、例えば、首振りと、俯角調整に基づく防霜ファンの移動に対して、散水ノズルの方向性が確保できる構造を提案する。
【００１７】
請求項４は、請求項１に記載の防霜ファンの散水装置において、
前記支持体の先端に軸を介して枢着した可動板と、この可動板に散水ノズルを設けるとともに、この可動板に開設した半月溝に、前記可動板及びこの支持板に設けた緊締螺子を貫設し、この緊締螺子の弛緩で、前記可動板が、前記軸を支点として可動し、この可動位置で、この緊締螺子を緊締し、この可動板を固定する構成とした防霜ファンの散水装置である。
【００１８】
請求項５の発明は、請求項１の目的を、省エネで達成するには、この噴射ノズルの台数を、限定する必要性がある、これに適した構造の提案を意図する。
【００１９】
請求項５は、請求項１に記載の防霜ファンの散水装置において、
前記散水ノズルを、一基、又は数基とする構成とした防霜ファンの散水装置である。
【００２０】
請求項６の発明は、請求項１の目的を達成するには、この散水ノズルの構造を特定することと、この散水ノズルの特性と送風とを効率的にドッキングすることであり、この特性を発揮することを意図する。
【００２１】
請求項６は、請求項１に記載の防霜ファンの散水装置において、
前記散水ノズルの水、水粒子、又は微粒子を噴射する操作を、遠隔操作とする構成とした防霜ファンの散水装置である。
【発明の効果】
【００２２】
請求項１の発明は、建柱に設けた防霜ファンと、防霜ファンの送風領域に水、水粒子、又は微粒子を噴射するために、建柱、又は柱に設けた多機能の散水ノズルと、散水ノズルに水、薬液、液肥、防虫剤の流体を送るホースとで構成した防霜ファンの散水装置であって、
散水ノズルを、送風領域内に向って、前進後退させる移動手段を付設する構成の防霜ファンの散水装置において、
移動手段は、対のベルトに設け、かつ建柱、又は柱の長手方向に設けたチャンネル形状の本体と、本体に螺着した止め螺子と、止め螺子が貫設される長溝を備え、かつ鍔片に多数の係止用の切欠き部を有する、本体とベルトとの間に、スライド可能に設けたチャンネル形状の支持体とで構成し、
止め螺子の基端に設けた頭部が、長溝の溝幅より大きいことを利用し、本体の切欠き部を、支持体に係止する構成とした防霜ファンの散水装置である。
【００２３】
これにより、請求項１は、多機能、即ち、水、水粒子、又は微粒子であって、かつ強弱でなる流体を噴射できる散水ノズルを、ファンに付設し（設け）、この噴射ノズルからの噴射する水、水粒子、又は微粒子を、ファンの送風領域内に到達させ、かつ送風領域内で消失する構成とすることで、この果樹園、茶園、その他の圃場、牧草圃場、稲藁・麦藁製造所において、水、水粒子を噴霧し、比較的、大量の水による樹木、果実、葉、稲藁、麦藁等の汚染防止、例えば、放射能、煤煙、粉塵等の有害物資を払拭することを、第一主眼とする。また、微粒子を噴霧し、果樹園、茶園、その他の圃場において、樹木、果実、葉等の加湿、養生、或いは防霜等を図ることを第二主眼とする。さらに、請求項１は、防霜ファンの動き、例えば、首振りと、俯角調整に基づく防霜ファンの移動に対して、散水ノズルの方向性が確保できる構造を提案できる。
【００２４】
請求項２の発明は、請求項１に記載の防霜ファンの散水装置において、
散水ノズルを、ベルトを介して、建柱、又は柱に設け、ベルトの弛緩と緊張とを介して、散水ノズルを、建柱、又は柱に旋回可能、或いは上下動可能に設ける構成とした防霜ファンの散水装置である。
【００２５】
これにより、請求項２は、請求項１の目的を達成するには、散水ノズルを、建柱、又は柱に旋回可能、或いは上下動可能に設ける構造が必要であるので、この構造を提案できる。
【００２６】
請求項３の発明は、請求項１に記載の防霜ファンの散水装置において、
防霜ファンに、ガードを付設する構成とした防霜ファンの散水装置である。
【００２７】
これにより、請求項３は、請求項１の目的を達成する為には、防霜ファンの安全性と、発生し易い人・飛来物の捲込み事故回避、これに纏わる余分の作業回避が計れる構造を提案できる。
【００２９】
請求項４の発明は、請求項１に記載の防霜ファンの散水装置において、
支持体の先端に軸を介して枢着した可動板と、可動板に散水ノズルを設けるとともに、可動板に開設した半月溝に、可動板及び支持板に設けた緊締螺子の弛緩で、可動板が、軸を支点として可動し、可動位置で、緊締螺子を緊締し、可動板を固定する構成とした防霜ファンの散水装置である。
【００３０】
これにより、請求項４は、請求項１の目的を達成する為には、防霜ファンの動き、例えば、首振りと、俯角調整に基づく防霜ファンの移動に対して、散水ノズルの方向性が確保できる構造を提案できる。
【００３１】
請求項５の発明は、請求項１に記載の防霜ファンの散水装置において、
散水ノズルを、一基、又は数基とする構成とした防霜ファンの散水装置である。
【００３２】
これにより、請求項５は、請求項１の目的を、省エネで達成する為には、噴射ノズルの台数を、限定する必要性がある、これに適した構造を提案できる。
【００３３】
請求項６の発明は、請求項１に記載の防霜ファンの散水装置において、
散水ノズルの水、水粒子、又は微粒子を噴射する操作を、遠隔操作とする構成とした防霜ファンの散水装置である。
【００３４】
これにより、請求項６は、請求項１の目的を達成する為には、散水ノズルの構造を特定することと、この散水ノズルの特性と送風とを効率的にドッキングすることであり、この特性を発揮できる。
以上
【図面の簡単な説明】
【００３５】
【図１】第一実施例を示した正面図
【図２】第一実施例を示した平面図
【図３】第一実施例を示した側面図
【図４】第一実施例を示した底面図
【図５】第一実施例の側面図において、送風と散水との好ましい関係を示した模式図
【図６−１】移動手段の好ましい一例を示した拡大斜視図
【図６−２】図６−１の平面図
【図７】移動手段の要部を示した拡大斜視図
【図８】第二実施例を示した正面図
【図９】第二実施例を示した平面図
【図１０】第二実施例を示した側面図
【図１１】第二実施例を示した底面図
【図１２】第二実施例の側面図において、送風と散水との好ましい関係を示した模式図
【図１３】旋回・送風・噴霧領域の好ましい、相互関係を説明する模式図
【図１４】散水ノズルの散水する水の状態を示した模式図
【図１５】使用状態の模式図
【発明を実施するための形態】
【００３６】
先ず、各実施例で共通する防霜ファンＡの好ましい一例を説明すると、この防霜ファンＡ（通常のファンを採用することもあり得る）は、建柱Ｂ（支持材）に被嵌する天井を備えた筒状の取付け筒１と、この取付け筒１に設けた、この取付け筒１を建柱Ｂに緊締する締付け螺子２と、この取付け筒１の上面に設けた略船形を呈する取付け台３と、この取付け台３に内装した減速機構を備えたモータ５と、リンク機構６でなる首振り手段Ｃ（旋回）と、この首振り手段Ｃの可動軸６００（一定の範囲で旋回する）に設けた旋回する架台７（回転台）と、この架台７に設けた俯角調整手段Ｄを介して、この架台７に俯角調整自在に設けたモータベース８と、このモータベース８に設けた防霜ファン用の羽根１０を回転するモータ１１とで構成する。従って、この羽根１０は、モータ１１の回転で回転するとともに、この架台７が、首振り手段Ｃと可動軸６００とにより首振りすることで、この首振り範囲（図１３において、旋回領域Ｅとする）において、羽根１０の回転を介して、図５、図１２に示した送風領域Ｆ（送風流域）を形成する。また、送風領域Ｆの俯角（図５、図１２に示した防霜ファンＡの俯角Ｄ１）は、俯角調整手段Ｄを介して調整する。前述の如く、従来の防霜ファン（図示せず）への設置も可能であり、低コストと汎用性の向上、並びに経費の削減と、管理の簡便化と、従来の経験が活用できること、等の特徴がある。
【００３７】
図中１２は防霜ファン用のガードで、羽根１０の後側に設置し、羽根１０の後側から、羽根１０を囲繞するが、羽根１０の前側は開放１２００されている。従って、このガード１２は、破損した羽根１０の後方への飛散（この後方への飛散が、略１００％である）防止と、その事故発生回避、又は散水ノズルの点検、又は調整という新しい作業に基づいて、この散水ノズルの点検、殊に散水ノズル、又はその装置に慣れていない農作業者等の際に、発生し易い人・飛来物の捲込み事故回避、これに纏わる余分の作業（例えば、羽根１０が自然風で回らないように固定する作業、監視作業等）回避等を計るのに有益である。本発明では、このガード１２は、後述するように、他にも有用な役割を担っている。
【００３８】
そして、図１〜図５に示した第一実施例では、環状で、吸込隙間を備えた網体形状のガード１２は、モータ１１の出力側に取付けたこのモータ１１の外周面より大径の円板状取付け板１１００の円板方向に、間隔を置いて、この円板方向に順次、その基端を設け、かつその自由端を開放１２００側に設けた略半截倒Ｕ形の多数本のガード平板１２０１と、この多数のガード平板１２０１に直交する、前記基端から開放１２００側に向って設けた小径から大径に亙る複数本のリング形状のガード枠体１２０２とで構成する。
【００３９】
図中１５は建柱Ｂ、又は別の柱等に設けた散水ノズルであり、この散水ノズル１５からの散水Ｙ（放水）は、図１３に示すように、羽根１０（防霜ファンＡ）の首振りによる旋回領域Ｅと、その送風領域Ｆとの重畳領域ＸのセンターＸ１に向って、噴射することであり、例えば、この重畳領域Ｘで、拡散され、その後、この重畳領域Ｘより、拡散状態で送風領域Ｆの先端Ｆ１に向って、運ばれる。この結果、樹木Ｇ、果実Ｇ１、葉Ｇ２、稲藁、麦藁等に残留する、例えば、放射能、煤煙、粉塵等等の有害物資を払拭できると考えられる。また、散水Ｙは、水、水粒子、又は微粒子を噴射するが、例えば、図１４の如く、如雨露散水、シャワー散水、直射散水、又は拡散散水、或いは噴霧散水とする。そして、図１５の如く、この中で、如雨露散水、直射散水では、前記有害物資の払拭に有益と考えられる。また、シャワー散水、噴霧散水では、樹木Ｇ、果実Ｇ１、葉Ｇ２等の加湿、養生、或いは防霜等が図れると考えられる。尚、散水ノズル１５には、ホース１６が接続されており、この散水ノズル１５に所定量（比較的、大量）の水を供給するために、図示しないが、ホース１６にはポンプを設ける。また、前記散水ノズル１５の操作を、遠隔操作することもできる。
【００４０】
また、図中２０は移動手段で、この移動手段２０は散水ノズル１５を支持し、かつこの散水ノズル１５の前進後退を受持つ構造であり、その好ましい一例を説明すると、移動手段２０は、建柱Ｂ（他の柱を含む）に捲装する対のベルト２１、２１に、その上下端の鍔片２２ａ、２２ａを貫設、又は掛止めして設け、かつ前記建柱Ｂ（柱）の長手方向Ｂ１に設けたチャンネル形状の本体２２と、この本体２２に貫設して螺着した止め螺子２３と、この止め螺子２３の軸部２３ａが貫設される長溝２５を備え、かつ端部に折曲形成した対の鍔片２６ａに多数の係止用の切欠き部２７を有する、本体２２とベルト２１との間隔２８に、スライド可能に設けたチャンネル形状の支持体２６とで構成する。そして、長溝２５と鍔片２６ａに、支持体２６の長手方向２６ｂである。また、本体２２と支持体２６はクロスして設けられ、かつ止め螺子２３を介して、このクロス状態が確保される。この支持体２６の長手方向２６ｂのスライド、即ち、移動を説明すると、止め螺子２３を螺戻し、支持体２６の切欠き部２７を、本体２２の鍔片中部２２ｂより離間する。この操作で、支持体２６は本体２２の固定関係が解除されるので、この支持体２６は、その長溝２５を利用し、かつ止め螺子２３をガイドとして、前進、又は後退可能である。そして、後述するが、この支持体２６に散水ノズル１５が設けられていることから、共に前進、又は後退可能である。この支持体２６の前進、又は後退後において、止め螺子２３を螺着する（締付ける）と、今度は、支持体２６が本体２２側に引付けられ、切欠き部２７が本体２２の鍔片中部２２ｂに喰込み、その位置が決定される。尚、止め螺子２３の頭部は、前記間隔２８内にあって、ベルト２１との間には、隙間２８ａを有する。従って、この隙間２８ａを利用して、前進後退する。
【００４１】
図中３０は散水ノズル１５の可動手段（俯角調整手段Ｄと同じ）で、支持体２６への取付け手段も兼ねる。この支持体２６の先端２６ｃに軸３１を介して枢着したＬ字形をした可動板３２と、可動板３２のＬ時形の傾斜折曲板部３２ａには散水ノズル１５を設けるとともに、可動板３２に開設した半月溝３３に、可動板３２と支持体２６に設けた緊締螺子３５を貫設する。従って、この緊締螺子３５の弛緩で、可動板３２が、軸３１を支点とし、かつ半月溝３３に添って可動し、可動位置で、緊締螺子３５を緊締し、可動板３２を固定する。これにより、散水ノズル１５の噴射方向が変更される。
【００４２】
また、前述した建柱Ｂに捲装するベルト２１は、この一例では、対のベルト２１間に本体２２が掛止め支持される。このベルト２１には多数の透孔２１００が開設されると共に、この透孔２１００に差込み係止されるフックボルト２１０１が、このベルト２１の一方端部に設けられている。従って、ベルト２１を建柱Ｂに捲装した後、一方の端部を、他方の端部に重畳すると共に、両者の透孔２１００を合体し、この合体透孔２１００ａに、前記フックボルト２１０１の爪を差込んで固定する構造である。従って、このフックボルト２１０１の緊締と弛緩とを利用して、ベルト２１の捲装長さを調整できる。この調整を利用して、建柱Ｂの適所に、ベルト２１を移動できることと、同時に建柱Ｂの長手方向Ｂ１において、散水ノズル１５の上下位置を変更できる。この移動を、前記散水ノズル１５の移動手段２０による前進後退移動、並びに可動手段３０による角度変更とを総合的に利用できる。
【００４３】
そこで、この散水ノズル１５の噴射方向と、旋回領域Ｅと、送風領域Ｆとの関係を、図５、図１２と、図１３を基に説明する。先ず、図１３の如く、防霜ファンＡによる送風流域Ｆ（送風方向）は、平面視すると、略扇形となるが、この防霜ファンＡの旋回領域Ｅと略重なる。従って、散水ノズル１５からの流体の噴射も、この送風流域Ｆと旋回領域Ｅとなることが必要となる。そこで、前述の移動手段２０と、可動手段３０、並びにベルト２１の上下移動を十分に活用して、散水ノズル１５を前進、又は後退させることと、例えば、圃場の場面に対して、適度の仰角、水平角か、又は俯角等の角度とする。このような操作と構造を利用して、その噴射方向を選択する。例えば、散水ノズル１５の噴射方向は、送風領域Ｆの中であって、かつ旋回領域Ｅの中心位置（旋回領域Ｅと、その送風領域Ｆとの重畳領域ＸのセンターＸ１）に向って行うことが理想であり、図１３において、平面視して、略扇形となる。また、図５等の如く、側面視して、送風領域ＦのセンターＦ１に向って噴射することが望ましい。これにより、前述の如く、重畳領域Ｘで、拡散され、その後、この重畳領域Ｘより、拡散状態で送風領域Ｆの先端Ｆ１に向って、運ばれる構造であって、樹木Ｇ、果実Ｇ１、葉Ｇ２等から有害物資の払拭が図れ、また、樹木Ｇ、果実Ｇ１、葉Ｇ２等の加湿、養生、或いは防霜等が図れることが考えられる。
【００４４】
尚、図示しないが、水に代えて、薬液、液肥、防虫剤、その他の液体等の流体を使用する例もあり得る。この際には、この薬液、防虫剤等の流体を散布後に、水を散水Ｙすることも、衛生面と薬液、防虫剤等の払拭に有益である。
【符号の説明】
【００４５】
１            取付け筒
２            螺子
３            取付け台
５            モータ
６            リンク機構
６００        可動軸
７            架台
８            モータベース
１０          羽根
１１          モータ
１１００      取付け板
１２          ガード
１２００      開放
１２０１      ガード平板
１２０２      ガード枠体
１５          散水ノズル
１６          ホース
２０          移動手段
２１          ベルト
２１００      透孔
２１００ａ    合体透孔
２１０１      フックボルト
２２          本体
２２ａ        鍔片
２２ｂ        鍔片中部
２３          止め螺子
２３ａ        軸部
２５          長溝
２６          支持体
２６ａ        鍔片
２６ｂ        長手方向
２６ｃ        先端
２７          切欠き部
２８          間隔
２８ａ        隙間
３０          可動手段
３１          軸
３２          可動板
３２ａ        傾斜折曲板部
３３          半月溝
３５          緊締螺子
Ａ            防霜ファン
Ｂ            建柱
Ｂ１          長手方向
Ｃ            首振り手段
Ｄ            俯角調整手段
Ｄ１          俯角
Ｅ            旋回領域
Ｆ            送風領域
Ｆ１          センター
Ｘ            重畳領域
Ｘ１          センター
Ｙ            散水
Ｇ            樹木
Ｇ１          果実
Ｇ２          葉
【図１】
0005824287.tif 000002
【図２】
0005824287.tif 000003
【図３】
0005824287.tif 000004
【図４】
0005824287.tif 000005
【図５】
0005824287.tif 000006
【図６−１】
0005824287.tif 000007
【図６−２】
0005824287.tif 000008
【図７】
0005824287.tif 000009
【図８】
0005824287.tif 000010
【図９】
0005824287.tif 000011
【図１０】
0005824287.tif 000012
【図１１】
0005824287.tif 000013
【図１２】
0005824287.tif 000014
【図１３】
0005824287.tif 000015
【図１４】
0005824287.tif 000016
【図１５】
0005824287.tif 000017